(57)【要約】      （修正有）【課題】長尺状の挿入体と生体組織との間の挿入部に生じる隙間を一層確実に塞ぐことを可能とする液剤塗布具を提供する。【解決手段】液剤塗布具は、カテーテル等の挿入管１６の生体組織への挿入部を被覆するための液剤が充填される貯液部２２ｂを有するシリンジ１２と、該シリンジ１２先端の流出口２２ａに接続されるノズル１４とを備える。ノズル１４は、挿入管１６の外周面の少なくとも一部を囲繞可能なアーム部３２を有すると共に、貯液部２２ｂに充填される液剤Ｌを挿入管１６の外周面に向けて吐出する吐出孔３６を前記アーム部３２に設けたノズル１４とを備える。【選択図】図２
2012065980.tif 000002
【特許請求の範囲】
【請求項１】
生体組織に挿入する長尺状の挿入体の外周面の少なくとも一部を囲繞可能なアーム部を有し、
前記アーム部に、前記挿入体の前記生体組織への挿入部を被覆するための液剤を前記挿入体の外周面に向けて吐出する吐出孔を設けたことを特徴とする液剤塗布具。
【請求項２】
請求項１記載の液剤塗布具において、
前記液剤が充填される貯液部と、
前記アーム部を有し、該アーム部に前記貯液部からの前記液剤を流通可能なノズルと、
を備えることを特徴とする液剤塗布具。
【請求項３】
請求項１又は２記載の液剤塗布具において、
前記吐出孔は、複数設けられていることを特徴とする液剤塗布具。
【請求項４】
請求項１〜３のいずれか１項に記載の液剤塗布具において、
前記アーム部は、前記挿入体の外径より大きな内径を有するリング形状であることを特徴とする液剤塗布具。
【請求項５】
請求項１〜４のいずれか１項に記載の液剤塗布具において、
前記アーム部は、前記挿入体を囲繞する方向の一部に、前記挿入体の外径が通過可能な開口部を有することを特徴とする液剤塗布具。
【請求項６】
請求項５記載の液剤塗布具において、
前記開口部は、前記アーム部の内面側から外面側に向けて幅が拡がる傾斜面であることを特徴とする液剤塗布具。
【請求項７】
請求項５記載の液剤塗布具において、
前記開口部を開閉可能なロック機構を備えることを特徴とする液剤塗布具。
【請求項８】
請求項１〜７のいずれか１項に記載の液剤塗布具において、
前記吐出孔は、前記アーム部の前記挿入体の外周面に対向する内面に設けられるか、又は、前記アーム部の前記挿入部の方向を指向する下面に設けられることを特徴とする液剤塗布具。
【請求項９】
請求項１〜８のいずれか１項に記載の液剤塗布具において、
前記アーム部には、前記生体組織の表面に着地して、該アーム部の前記挿入部から高さ位置を規定する脚部が設けられていることを特徴とする液剤塗布具。
【発明の詳細な説明】
【技術分野】
【０００１】
本発明は、カテーテル等の長尺状の挿入体と生体組織との間の挿入部を被覆する液剤を塗布するための液剤塗布具に関する。
【背景技術】
【０００２】
医療用の長尺状の挿入体、例えば、血管カテーテル、導尿カテーテル及び硬膜外カテーテル等の各種カテーテル、又は、留置ドレーン、又は、腹膜透析チューブ、又は、ヒューバー針の挿入部、又は、生体埋込型医療機器のケーブル、又は、気管切開カニューレ等（以下、挿入管という）を体内に挿入し留置する際には、当該挿入管の生体組織（例えば、体表面）への挿入部に隙間を生じることがあり、この隙間に菌（例えば、皮膚に常在する菌）や汚れが侵入し、感染症や炎症を生じる可能性がある。
【０００３】
そこで、一般的には、上記の感染症や炎症を予防するために、挿入部周辺をドレッシング剤で被覆する処置や、抗菌剤を含浸させたパッチを挿入部周辺に貼り付ける処置等が行われている（例えば、特許文献１、２参照）。
【先行技術文献】
【特許文献】
【０００４】
【特許文献１】特開平９−９４２９９号公報
【特許文献２】特許第３０４６６２３号公報
【発明の概要】
【発明が解決しようとする課題】
【０００５】
上記のようなドレッシング剤やパッチを挿入部及びその周辺に貼り付ける処置を行うことにより、感染症や炎症の予防に対して一定の効果を得ることができる。しかしながら、このようなドレッシング剤やパッチを貼り付ける方法は、挿入管と生体組織との挿入部周辺を上方からカバーするだけの処置であるため、挿入部に生じる隙間を完全に塞ぐことは難しい。
【０００６】
本発明はこのような従来の課題を考慮してなされたものであり、長尺状の挿入体と生体組織との間の挿入部に生じる隙間を一層確実に塞ぐことを可能とする液剤塗布具を提供することを目的とする。
【課題を解決するための手段】
【０００７】
本発明に係る液剤塗布具は、生体組織に挿入する長尺状の挿入体の外周面の少なくとも一部を囲繞可能なアーム部を有し、前記アーム部に、前記挿入体の前記生体組織への挿入部を被覆するための液剤を前記挿入体の外周面に向けて吐出する吐出孔を設けたことを特徴とする。
【０００８】
このような構成によれば、前記液剤をアーム部に設けた吐出孔から、該アーム部で囲繞した挿入体の外周面に向けて吐出することにより、挿入部及びその周辺に液剤を塗布し、該挿入部に生じる隙間を確実に被覆し塞ぐことができる。
【０００９】
また、前記液剤が充填される貯液部と、前記アーム部を有し、該アーム部に前記貯液部からの前記液剤を流通可能なノズルとを備え、貯液部内に充填された液剤をノズルの吐出孔から吐出する構成としてもよい。
【００１０】
この場合、前記吐出孔が複数設けられていると、前記液剤を挿入体の外周面に対してより均等に且つ迅速に吐出することができる。
【００１１】
前記アーム部は、前記挿入体の外径より大きな内径を有するリング形状であると、挿入体を該リング形状の内側に位置決め保持した状態で液剤を塗布することができ、当該液剤塗布具の操作性が一層向上する。
【００１２】
前記アーム部は、前記挿入体を囲繞する方向の一部に、前記挿入体の外径が通過可能な開口部を有するとよい。そうすると、該開口部を介して挿入体をアーム部の内側に容易に配置することができる。
【００１３】
前記開口部は、前記アーム部の内面側から外面側に向けて幅が拡がる傾斜面であるとよい。これにより、開口部からアーム部により囲繞される領域内へと挿入体を一層容易に挿入することが可能となると共に、一旦アーム部により囲繞される領域内に配置された挿入体の開口部からの抜け止め機能も付与することができる。
【００１４】
また、前記開口部を開閉可能なロック機構を備えると、アーム部により囲繞される領域内に配置した挿入体の開口部からの確実な抜け止めが可能となり、より確実に且つ安定して液剤の塗布を行うことが可能となる。
【００１５】
前記吐出孔は、前記アーム部の前記挿入体の外周面に対向する内面に設けられるか、又は、前記アーム部の前記挿入部の方向を指向する下面に設けられる構成としてもよい。アーム部の内面に吐出孔を設けると、該アーム部により囲繞される領域内に位置決め保持した挿入体の外周面に対し、液剤を一層円滑に且つ確実に吐出することができる。一方、アーム部の下面に吐出孔を設けた場合、液剤の吐出方向としてはアーム部に垂直な方向（例えば、図１０Ｂ参照）でもよく、挿入体の生体組織への挿入部に向ける方向（例えば、図１２参照）でもよい。挿入部近傍に焦点を持つように角度付けされたものであれば、挿入部及びその周囲への液剤の塗布を一層容易に行うことができる。
【００１６】
前記アーム部には、前記生体組織の表面に着地して、該アーム部の前記挿入部から高さ位置を規定する脚部が設けられていると、一層簡便な操作感を得ることができ、しかも、使用者に当該液剤塗布具の適正な使用位置を明示することも可能となる。
【発明の効果】
【００１７】
本発明によれば、挿入体の生体組織への挿入部を被覆するための液剤をアーム部に設けた吐出孔から、該アーム部で囲繞した挿入体の外周面に向けて吐出することにより、挿入体の生体組織への挿入部及びその周辺に液剤を円滑に塗布することができ、該挿入部に生じる隙間を確実に被覆し塞ぐことができる。
【図面の簡単な説明】
【００１８】
【図１】本発明の一実施形態に係る液剤塗布具の一部分解斜視図である。
【図２】図１に示す液剤塗布具の先端側を拡大した部分断面図である。
【図３】図３Ａは、図１に示す塗布具によって挿入管の生体組織への挿入部に対して液剤の塗布を行う様子を示す説明図であり、図３Ｂは、図３Ａに示す塗布具の平面図であり、図３Ｃは、図３Ａに示す状態から液剤の塗布を行い、挿入部周辺を液剤によって被覆した状態を示す説明図である。
【図４】図４Ａは、シリンジとノズルの接続部にロック機構を設けた構成例の側面断面図であり、図４Ｂは、図４Ａに示すロック機構をロック状態とした側面断面図である。
【図５】図５Ａは、第１変形例に係るノズルの一部省略平面図であり、図５Ｂは、第２変形例に係るノズルの一部省略平面図である。
【図６】図６Ａは、第３変形例に係るノズルの一部省略平面図であり、図６Ｂは、第４変形例に係るノズルの一部省略平面図である。
【図７】第５変形例に係るノズルの一部省略平面図である。
【図８】第６変形例に係るノズルの一部省略部分断面である。
【図９】第７変形例に係るノズルの一部省略部分断面である。
【図１０】図１０Ａは、第８変形例に係るノズルの一部省略平面図であり、図１０Ｂは、図１０Ａに示すノズルを用いて液剤の塗布を行う様子を示す説明図である。
【図１１】図１１Ａは、先端に脚部を設けたノズルを挿入部に対して位置決めした様子を示す説明図であり、図１１Ｂは、先端に他の構成の脚部を設けたノズルを挿入部に対して位置決めした様子を示す説明図である。
【図１２】図１２Ａは、第９変形例に係るノズルの一部省略底面図であり、図１２Ｂは、図１２Ａ中のＸＩＩＢ−ＸＩＩＢ線に沿う一部省略断面図である。
【図１３】図１３Ａは、第１０変形例に係るノズルの一部省略平面図であり、図１３Ｂは、第１１変形例に係るノズルの一部省略平面図であり、図１３Ｃは、第１２変形例に係るノズルの一部省略平面図である。
【図１４】図１４Ａは、ロック機構を有するノズルのロック状態での一部省略平面図であり、図１４Ｂは、図１４Ａに示すノズルのアンロック状態での一部省略平面図である。
【図１５】図１５Ａは、ロック機構を有するノズルの第１変形例に係るノズルのロック状態での一部省略平面図であり、図１５Ｂは、図１５Ａに示すノズルのアンロック状態での一部省略平面図である。
【図１６】図１６Ａは、ロック機構を有するノズルの第２変形例に係るノズルのロック状態での一部省略平面図であり、図１６Ｂは、図１６Ａに示すノズルのアンロック状態での一部省略平面図である。
【図１７】ロック機構を有するノズルの第３変形例に係るノズルの一部省略平面図である。
【図１８】図１８Ａは、ロック機構を有するノズルの第４変形例に係るノズルのロック状態での一部省略平面図であり、図１８Ｂは、図１８Ａに示すノズルのアンロック状態での一部省略平面図である。
【図１９】図１９Ａは、ロック機構を有するノズルの第５変形例に係るノズルのロック状態での一部省略平面図であり、図１９Ｂは、図１９Ａに示すノズルのアンロック状態での一部省略平面図である。
【図２０】図２０Ａは、ロック機構を有するノズルの第６変形例に係るノズルのアンロック状態での一部省略平面図であり、図２０Ｂは、図２０Ａに示すノズルのロック状態での一部省略平面図である。
【図２１】図２１Ａは、ロック機構を有するノズルの第７変形例に係るノズルのロック状態での一部省略平面図であり、図２１Ｂは、図２１Ａに示すノズルのアンロック状態での一部省略平面図であり、図２１Ｃは、図２１Ａに示すロック状態での一部省略斜視図である。
【図２２】図１に示す液剤塗布具の別の構成例に係る液剤塗布具の斜視図である。
【図２３】図２３Ａは、図１に示す液剤塗布具のさらに別の構成例に係る液剤塗布具の平面図であり、図２３Ｂは、図２３Ａに示す液剤塗布具の側面図である。
【発明を実施するための形態】
【００１９】
以下、本発明に係る液剤塗布具について好適な実施の形態を挙げ、添付の図面を参照しながら説明する。
【００２０】
図１は、本発明の一実施形態に係る液剤塗布具１０の一部分解斜視図であり、図２は、図１に示す液剤塗布具１０の先端側を拡大した部分断面図である。
【００２１】
本実施形態に係る液剤塗布具１０（以下、単に「塗布具１０」ともいう）は、液剤Ｌが充填されたシリンジ１２と、シリンジ１２の先端に接続されるノズル１４とを有し、液剤Ｌをノズル１４から目的部位へと塗布（投与、吐出、注入）するための器具である。液剤Ｌは、カテーテル、ドレーン又はケーブル等からなる長尺状の挿入体である挿入管１６の生体組織１８（例えば、体表面）への挿入部２０を被覆するための薬剤等であり（図３Ａ〜図３Ｃ参照）、すなわち、塗布具１０は、先端のノズル１４から前記挿入部２０及びその周辺に、液剤Ｌを塗布するための医療用器具である。挿入管１６の生体組織１８への挿入部２０とは、体表面以外、例えば、体内にあるものであってもよい。
【００２２】
液剤Ｌとしては、例えば、シアノアクリレートを含有するシーラント（封止材、接着剤）や、例えば、クロルヘキシジン等の抗菌剤を含有し、且つ十分な粘度を有した液剤を用いるとよい。該液剤は、吐出後に硬化するものがよく、生体組織と適度な接着性を有するものが望ましい。具体的な材料の一例としては、ポリエチレングリコールを主としたゲルや多糖ゲルがあり、２液を混合させるなどして硬化させる方法でもよい。
【００２３】
以下、図１及び図２における左側（シリンジ１２側）を「基端（後端）」側、右側（ノズル１４側）を「先端」側と呼んで説明する。
【００２４】
図１及び図２に示すように、シリンジ１２は、先細りテーパ形状で突出する流出口２２ａを先端に設けた外筒（シリンダ）２２と、外筒２２内で液密に摺動し、内部に液剤Ｌが充填される貯液部２２ｂを画成するガスケット２４が先端に装着され、前後方向（軸方向）に移動可能な押し子（プランジャロッド）２６とを備える。
【００２５】
ノズル１４は、シリンジ１２の流出口２２ａにテーパ嵌合する注入口２８を基端面に有した略円筒状のベース部３０と、ベース部３０の先端から平面視（図２参照）で挿入管１６を囲繞するために一部に開放部分があり、例えばＣリング状、Ｖ字状、Ｕ字状（図２ではＣリング状の構成を例示）に形成されるアーム部（リング部）３２とを有する。ベース部３０の内部には、注入口２８から連通して軸方向に延びたノズル流路３４が形成され、該ノズル流路３４は、アーム部３２の内部にも延在している（図２参照）。さらに、略円形状に形成されたアーム部３２の内面（内周面）３２ａには、ノズル流路３４から分岐した複数（本実施形態では、９個）の吐出孔３６が開口形成されている。
【００２６】
図２に示すように、このノズル１４における各吐出孔３６は、全てアーム部３２を構成する円の中心を指向する吐出方向に形成され、アーム部３２の周方向に沿って等間隔に設けられているが、吐出孔３６の吐出方向や配置間隔等は適宜変更可能であることは勿論である。
【００２７】
図１及び図２に示すように、アーム部３２には、ベース部３０の軸方向先端側に、挿入管１６の外径が通過可能な開口部（切欠部、スリット）３８が設けられている。このアーム部３２では、開口部３８は、先端方向に向かって幅（内面間距離）が拡がる傾斜形状に構成される。
【００２８】
ノズル１４の材質は、特に限定されないが、例えば、ポリプロピレン、ポリエチレン、ポリ塩化ビニル、環状ポリオレフィン、ポリスチレン、ポリカーボネイト、アクリル樹脂、ポリアミド等の樹脂を用いるとよく、シリンジ１２の外筒２２及び押し子２６についても同様である。ガスケット２４には、スチレン−ブタジエンゴム、ブチルゴム、イソプレンゴム、シリコーンゴム、ポリエステルエラストマー等の各種エラストマーを用いるとよい。また、ノズル１４は、例えば、ベース部３０の基端からアーム部３２の先端までの長さが１０ｍｍ〜５０ｍｍ程度、好ましくは２０ｍｍ〜３０ｍｍ程度であり、アーム部３２の内面３２ａの内径、つまり、アーム部３２により囲繞される領域の外径は、挿入管１６の外径にもよるが、例えば、５ｍｍ〜３０ｍｍ程度、好ましくは１０ｍｍ〜２０ｍｍ程度であり、開口部３８の幅（間隔）は、３ｍｍ〜３０ｍｍ程度、好ましくは３ｍｍ〜２０ｍｍ程度であり、吐出孔３６は、口径が０．５ｍｍ〜３ｍｍ程度、好ましくは１ｍｍ〜２ｍｍ程度であるとよい。これらの各寸法や材質は、当該塗布具１０の用途や仕様、液剤Ｌの種類等によって適宜最適に設定可能であることは勿論である。
【００２９】
次に、以上のように構成される塗布具１０を用いた液剤塗布方法の一例について、図３Ａ〜図３Ｃを参照して説明する。図３Ａは、図１に示す塗布具１０によって挿入管１６の生体組織１８への挿入部２０に対して液剤Ｌの塗布を行う様子を示す説明図であり、図３Ｂは、図３Ａに示す塗布具１０の平面図であり、図３Ｃは、図３Ａに示す状態から液剤Ｌの塗布を行い、挿入部２０周辺を液剤Ｌによって被覆した状態を示す説明図である。
【００３０】
長尺状の挿入体である挿入管１６としては、例えば、血管カテーテル、導尿カテーテル及び硬膜外カテーテル等の各種カテーテル、又は、留置ドレーン、又は、腹膜透析チューブ、又は、ヒューバー針の挿入部、又は、生体埋込型医療機器のケーブル、又は、切開カニューレ等を挙げることができる。このような挿入管１６が生体組織１８（例えば、体表面）に挿入された状態では、図３Ａに示すように、挿入部２０において挿入管１６と生体組織１８との間に、該挿入管１６の外周面に沿った隙間Ｇが生じることになる。なお、図３Ａ〜図３Ｃでは、理解の容易のため、隙間Ｇをやや誇張して図示しているが、実際の隙間Ｇは、図３Ａ〜図３Ｃに図示したものよりも幅の狭い、より微小な間隔である。
【００３１】
このように挿入部２０に生じる隙間Ｇには、生体組織１８の表面（皮膚表面等）に常在する菌や汚れが侵入する可能性があり、感染症や炎症を防止するためには、この隙間Ｇをより確実に塞ぐことが好ましい。ところが、上記した従来のドレッシング剤は、フィルムを挿入部周辺に貼り付けるだけの構成であるため、挿入部で生じる前記隙間Ｇを完全に塞ぐことは難しい。しかも、貼り付けたフィルムにしわ等が生じることがあり、そうすると、しわ等によって生じた隙間（空間）を通して菌が移動し、前記隙間Ｇへと侵入する可能性もある。
【００３２】
そこで、本実施形態では、上記の隙間Ｇを確実に閉塞し、しわ等に起因する前記隙間の発生を防止するため、液剤Ｌとして、シアノアクリレートを含有するシーラントや、クロルヘキシジン等の抗菌剤を含有し、且つ十分な粘度を有した液剤を用い、これらを単独で又は混合したものを液剤Ｌとして、シリンジ１２の貯液部２２ｂ内に予め充填しておくか、又は手技の直前に充填しておく。
【００３３】
次に、シリンジ１２の流出口２２ａのキャップ３９（図１参照）を取り外して該流出口２２ａを開通してからノズル１４を装着し（図２参照）、プライミングを行った後、図３Ａ及び図３Ｂに示すように、開口部３８を通してアーム部３２の内側に挿入管１６を挿入し、該アーム部３２の内面３２ａで挿入管１６を囲繞するように配置する。すなわち、アーム部３２のリング内側に挿入管１６を挿通させた状態とする。
【００３４】
なお、キャップ３９に代えて、例えば、流出口２２ａの出口に図示しない樹脂製の膜を設けておき、使用開始時に、該膜を図示しない穿刺針等によって開通するか、又はノズル１４のノズル流路３４内に設けた流路が形成された穿刺針によって開通するように構成してもよい。
【００３５】
ノズル１４の挿入管１６への設置位置は、挿入管１６や塗布具１０の種類や寸法、挿入部２０での隙間Ｇの大きさ等にもよるが、例えば、生体組織１８の表面から５ｍｍ〜２０ｍｍ、好ましくは１０ｍｍ程度の高さ位置（図３Ａ中のｈ＝１０ｍｍ）に設定するとよい。また、開口部３８の幅（最小幅）は、例えば、対象となる挿入管１６の外径よりも多少大きく、例えば、数％〜数１０％程度大きく設定することが好ましく、同様に、アーム部３２の内面３２ａの内径は、対象となる挿入管１６の外径よりも多少大きく、例えば、１．３倍〜２倍程度に設定することが好ましい。また、開口部３８が弾性部材からなり、拡張することができる場合はこの限りではない。
【００３６】
続いて、シリンジ１２の押し子２６を押し込むことにより、図３Ｂ及び図３Ｃに示すように、液剤Ｌがノズル１４の各吐出孔３６から一挙に挿入管１６に向けて吐出され、該吐出された液剤Ｌは、挿入管１６の外周面を伝いながら下降して挿入部２０に到達する。これにより、液剤Ｌが挿入部２０及びその周辺に適切に塗布され、隙間Ｇが確実に被覆され塞がれる。また、当該塗布具１０の液剤Ｌは、例えば、上記のドレッシング剤と併用することもでき、そうするとドレッシング剤に生じるしわがあった場合でも菌が隙間Ｇから体内に侵入することが確実に防止される。
【００３７】
例えば、液剤Ｌとして、シアノアクリレートを含有するシーラントを用いると、挿入部２０及びその周辺部で該シーラントが固化するため、隙間Ｇを確実に塞ぐことができ、しかも挿入管１６を挿入部２０に対して固定することもできる。一方、液剤Ｌとして、例えば、クロルヘキシジン等の抗菌剤を含有し、且つ十分な粘度を有した液剤を用いると、挿入部２０及びその周辺部に該液剤Ｌが保持され、隙間Ｇを確実に塞ぐことができる。なお、該液剤を用いる場合には、上記のシーラントのように挿入部２０周辺で固化することはないが、一般に、挿入管１６と生体組織１８との間に生じる隙間Ｇの幅は極めて狭いことから、所定の粘度からなる液剤Ｌであれば、固化しなくてもその表面張力によって確実に隙間Ｇを塞ぐことは可能である。
【００３８】
以上のように、本実施形態に係る塗布具１０では、シリンジ１２の貯液部２２ｂ内に充填された液剤Ｌをアーム部３２の内面３２ａに開口する吐出孔３６から挿入管１６の外周面に向けて吐出し、挿入部２０及びその周辺に液剤Ｌを塗布することにより、隙間Ｇを確実に被覆し、塞ぐことができる。従って、カテーテル等の挿入管１６と生体組織１８との間の挿入部２０に形成される隙間Ｇに菌や汚れが侵入することを確実に防ぐことができ、該挿入部２０での感染症や炎症の発生を予防することができる。
【００３９】
ノズル１４は、挿入管１６を囲繞可能なアーム部３２を有し、このアーム部３２の内面３２ａに液剤Ｌの吐出孔３６が形成されている。従って、液剤Ｌの塗布時、アーム部３２の内側で挿入管１６を保持しつつ、吐出孔３６から液剤Ｌを確実に挿入管１６の外周面に一挙に吐出することができ、高い操作性と確実な塗布とが可能となる。
【００４０】
各吐出孔３６がアーム部３２の内面３２ａに形成されていることにより、該アーム部３２の内側（内部）に挿入管１６を保持（配置）しておくだけで、液剤Ｌを挿入管１６の外周面に略均等に確実に吐出することができる。
【００４１】
なお、吐出孔３６は、上記のように複数設けず、例えば、ある程度の大きさを持つ１つの吐出孔３６のみであってもよいが、挿入管１６の外周面に対してより均等に液剤Ｌを塗布するためには、アーム部３２の周方向に略等間隔で均等配置された３つ以上の吐出孔３６を設けることが好ましい。
【００４２】
図２に示すように、ノズル１４は、挿入管１６をアーム部３２により囲繞される領域内に挿入するための開口部３８を有し、この開口部３８を、当該塗布具１０の先端方向、つまり軸線上に開口形成している。これにより、使用者は、当該塗布具１０を挿入管１６にセットする際、例えば、片手でシリンジ１２部分を把持したまま、開口部３８へと容易に挿入管１６を通過させることができ、高い操作性を得ることができる。
【００４３】
しかも、ノズル１４では、開口部３８を、アーム部３２の内面３２ａ側から外面側に向けて幅が拡がる傾斜面で形成している。これにより、開口部３８からアーム部３２により囲繞される領域内へと挿入管１６を一層容易に挿入することが可能となると共に、一旦アーム部３２の内側に配置された挿入管１６の開口部３８からの抜け止め機能も付与することができる。
【００４４】
ところで、当該塗布具１０では、例えば、十分な粘度を持った液剤Ｌを塗布するため、シリンジ１２から吐出される液剤Ｌは所定の高い圧力（抵抗）を発生することになる。そこで、ノズル１４とシリンジ１２との接続部について、図２に示される通常のテーパ嵌合構造（ルアーテーパ嵌合構造）以外にも、例えば、図４Ａ及び図４Ｂに示されるルアーロック２１を備えたルアーロック構造とすることも有効である。
【００４５】
図４Ａ及び図４Ｂに示すように、ルアーロック２１は、シリンジ１２の流出口２２ａの外周側に隙間２３を有して配置された筒部２５の内周面に形成された雌ねじ２７と、ベース部３０の基端側外周面に形成された雄ねじ２９とから構成されている。シリンジ１２側の雌ねじ２７に対し、ノズル１４側の雄ねじ２９が螺合されることにより、シリンジ１２とノズル１４とをより確実に嵌合・締結することができる。
【００４６】
次に、上記のように構成される塗布具１０におけるノズル１４の変形例について順に説明する。以下の各変形例において、図１〜図４に示される参照符号と同一の参照符号は、同一又は同様な構成を示し、このため同一又は同様な機能及び効果を奏するものとして詳細な説明を省略する。
【００４７】
図５Ａに示すように、ノズル１４に代えて、Ｖ字状の内面４０ａに吐出孔３６を設けたアーム部４０からなるノズル１４ａや、図５Ｂに示すように、略菱形状の内面４２ａに吐出孔３６を設けたアーム部４２からなるノズル１４ｂとして構成することもできる。すなわち、塗布具１０において、アーム部の形状は上記アーム部３２のリング形状（Ｃリング形状）や、アーム部４０、４２のＶ字状や菱形状以外であっても勿論よく、要は、挿入管１６を適切に位置決め保持し、挿入部２０に対して液剤Ｌを適切に塗布可能な構成であればよい。換言すれば、アーム部としては、挿入管１６の少なくとも一部を囲繞でき、この挿入管１６に対して液剤Ｌを円滑に吐出することができる構成であればよい。
【００４８】
図６Ａに示すように、ノズル１４に代えて、幅が略平行に形成された開口部４４を有するノズル１４ｃや、図６Ｂに示すように、アーム部３２の内面３２ａ側から外面側に向けて幅が狭まる傾斜面からなる開口部４６を有するノズル１４ｄとして構成することも可能である。図６Ａに示す開口部４４では、該開口部４４を介した挿入管１６のアーム部３２により囲繞される領域内への挿脱がいずれも同程度に容易となる。また、図６Ｂに示す開口部４６では、挿入管１６のアーム部３２により囲繞される領域内への挿入は多少難しくなるが、挿入管１６のアーム部３２の内側からの取り出しが容易となる。勿論、これら開口部４４、４６は、図５Ａ及び図５Ｂに示すノズル１４ａ、１４ｂに適用してもよい。
【００４９】
図７に示すように、ノズル１４に代えて、当該塗布具１０の軸方向に交差する方向（図７では軸方向に略直交する方向）を向いて開口する位置に開口部３８を設けたノズル１４ｅとして構成してもよい。このノズル１４ｅによれば、シリンジ１２での押し子２６の押し込み方向（つまりシリンジ１２の軸方向）と、開口部３８の開口方向とが交差しているため、一旦アーム部３２により囲繞される領域内に挿入配置された挿入管１６が、押し子２６の押し込み操作時等に、誤って開口部３８から抜け出すことを確実に防止することができる。
【００５０】
図２に示すノズル１４では、各吐出孔３６での吐出方向を、全てアーム部３２を構成する円の中心を指向するものとして説明したが、勿論これ以外であってもよい。例えば、図８に示すように、開口部３８近傍に、アーム部３２を構成する円の中心ではなく、開口部３８側に多少寄った吐出方向に設定された一対の吐出孔３６ａ、３６ａを設けたノズル１４ｆとして構成することもできる。
【００５１】
そうすると、各吐出孔３６ａから吐出された液剤Ｌは、図８中の矢印Ａに示されるように、開口部３８に対向する部分に位置した挿入管１６の外周面にも適切に塗布されることになる。このため、開口部３８によって吐出孔３６が設置できない部分に対しても、吐出孔３６ａによって確実に液剤Ｌを塗布することが可能となり、挿入管１６の外周面に対し、液剤Ｌを一層均等に塗布することが可能となる。勿論、吐出孔３６ａは、１個又は３個以上としてもよく、その配置も適宜変更可能である。
【００５２】
図９に示すように、吐出孔３６に代えて、その吐出方向に向かって拡径するテーパ形状の吐出孔４８を設けたノズル１４ｇとして構成することもできる。このような吐出孔４８を設けることにより、ノズル１４ｇでは、挿入管１６の外周面に対して一層確実に且つ均一に液剤Ｌを塗布することが可能となる。
【００５３】
図２に示すノズル１４では、吐出孔３６をアーム部３２の内面３２ａに設ける構成を例示したが、例えば、図１０Ａに示すように、吐出孔３６をアーム部３２の下面３２ｂ（挿入部２０の方向を指向する面）に設けたノズル１４ｈとして構成してもよい。
【００５４】
図１０Ｂに示すように、このノズル１４ｈによれば、挿入部２０側を向いた下面３２ｂに吐出孔３６が設けられることにより、アーム部３２により囲繞される領域内に挿入管１６を保持した状態とすれば、挿入管１６、挿入部２０及びその周辺に液剤Ｌを確実に塗布することができる。
【００５５】
図１１Ａに示すように、例えば、ノズル１４ｈについて、アーム部３２の先端側（開口部３８の近傍）に、生体組織１８の表面に着地して、該アーム部３２の挿入部２０（生体組織１８の表面）からの高さｈを規定する脚部４７を設けてもよい。脚部４７を設けることにより、ノズル１４ｈの挿入管１６への設置に最適な高さ位置、つまり生体組織１８の表面からの高さｈを明確に規定することができ、一層簡便な操作感を得ることができる。しかも、使用者に当該塗布具１０の適正な使用位置を明示することも可能となる。なお、脚部４７の形状は、例えば、カメラ等で用いられる一般的な３脚（２脚）構造や、平板を立設した構造等、各種の形状をとることができ、要は、シリンジ１２の先端に接続されたノズル１４ｈと生体組織１８の表面との間に介在し、ノズル１４ｈの生体組織１８からの設置高さｈを規定し得るものであればよい。
【００５６】
同様に、図１１Ｂに示すように、アーム部３２の先端側（開口部３８の近傍）に、アーム部３２の延在方向から傾斜する側面視で略三角形状の脚部４９を設けてもよい。脚部４９を設けることにより、該脚部４９を生体組織１８の表面上に当接させるだけで、ノズル１４ｈの挿入部２０に対する位置決めを容易に行うことができる。なお、これら脚部４７、４９は、上記のノズル１４ａ〜１４ｇや後述するノズル１４ｉ、１４ｊに設置してもよいことは勿論である。
【００５７】
図１２Ａ及び図１２Ｂに示すように、ノズル１４ｈに代えて、吐出孔３６からの液剤Ｌの吐出方向を、アーム部３２の内側を指向する斜め下方に設定した吐出孔５０を下面３２ｂに設けたノズル１４ｉとして構成することもできる。このノズル１４ｉによれば、吐出孔５０から斜め下方内側寄りに液剤Ｌが吐出されるため、挿入管１６及び挿入部２０に対して一層確実に液剤Ｌを塗布することができる。なお、吐出孔５０は、アーム部３２の下面３２ｂに設ける以外にも、例えば、下面３２ｂと内面３２ａの角部に設けてもよい。
【００５８】
上記したように、ノズル１４では、Ｃリング形状のアーム部３２により囲繞される領域内に挿入管１６を挿入・配置して、該アーム部３２の内面３２ａに開口する吐出孔３６から挿入管１６の外周面に向けて液剤Ｌを吐出することにより、挿入部２０及びその周辺に液剤Ｌを塗布する。従って、より均一且つ確実な液剤Ｌ塗布を可能とするためには、その塗布中、アーム部３２により囲繞される領域内での挿入管１６の設置位置を略一定に保持しておくことが望ましく、他のノズル１４ａ〜１４ｉについても同様である。
【００５９】
そこで、図１３Ａに示すように、ノズル１４（１４ａ〜１４ｉ）に代えて、アーム部３２の上面（及び下面）に、該アーム部３２の内円の中心を指示するマーク（目印）５２を設けたノズル１４ｊとして構成することもできる。該マーク５２は、例えばその指示方向に延在する仮想線の交点が、アーム部３２の内円の中心に位置するように複数位置（図１３では３点）に設置することが好ましい。このノズル１４ｊによれば、３つのマーク５２を目安として挿入管１６を配置・保持することができ、液剤Ｌの塗布時、アーム部３２により囲繞される領域内での挿入管１６の設置位置を、例えば中心位置に容易に保持することができる。マーク５２は、例えば印刷や成形による凹凸等によって形成すればよく、勿論、その設置数や形状は適宜変更可能である。なお、図１３Ａでは、理解の容易のため、軸方向に直交する断面で示された挿入管１６の断面ハッチングを省略して図示しており、図１３Ｂ及び図１３Ｃについても同様とする。
【００６０】
図１３Ｂに示すように、ノズル１４（１４ａ〜１４ｊ）に代えて、アーム部３２の内面３２ａの対向面間に細径の糸５４を設け、該糸５４の略中央にマーク５６を設置したノズル１４ｋとして構成することもできる（図１中の２点鎖線も参照）。糸５４としては、例えば、ノズル１４と同様な樹脂等による合成繊維等の線材を用いるとよく、また、マーク５６としては、糸５４の一部を着色したものや、糸５４よりも多少大径の部材を固着したもの等とするとよい。このノズル１４ｋによれば、マーク５６を目安として糸５４に挿入管１６を当接させた状態で配置・保持することにより、液剤Ｌの塗布時、アーム部３２により囲繞される領域内での挿入管１６の設置位置を一層確実に且つ容易に保持することができる。
【００６１】
図１３Ｂに示すように、糸５４は、開口部３８側の開口方向に直交する方向で設置すると、開口部３８を介してアーム部３２の内側に挿入された挿入管１６を容易に位置決め保持することができて好ましい。また、糸５４は、図１３Ｂに示すように、マーク５６がアーム部３２の内円の略中心に配置されるように設置してもよいが、例えば、図１３Ｂ中に２点鎖線で示すように、マーク５６がアーム部３２の内円の中心から多少後方にオフセットした位置となるように設置すると、挿入管１６の外面を該糸５４に当接させた状態で、該挿入管１６をアーム部３２の内円の中心に配置することが可能となる。勿論、マーク５６を省略し、糸５４を架橋させた構成としても、挿入管１６の位置決め保持機能は十分に確保することができる。
【００６２】
図１３Ｃに示すように、上記のノズル１４ｋに代えて、糸５４を１本ではなく複数本（図１３Ｃでは２本）設置したノズル１４ｌとして構成してもよい。このノズル１４ｌでは、２本の糸５４を互いに交差するように設置し、その交点にマーク５６を設置すると共に、該マーク５６がアーム部３２の内円の略中心となるように設置している。これにより、ノズル１４ｌのアーム部３２の内側には、２本の糸５４が交差したことにより、所定の角度θを持って開口部３８側を指向した凹状部分（谷部）が形成されることとなり、該凹状部分で一層安定して挿入管１６を位置決め保持することができる。当該ノズル１４ｌについても、挿入管１６の外面を糸５４（前記凹状部分）に当接させた状態で、該挿入管１６をアーム部３２の内円の中心に配置とするため、図１３Ｃ中に２点鎖線で示すようなオフセット位置に糸５４及びマーク５６を設置してもよく、またマーク５６を省略することも勿論可能である。
【００６３】
次に、ノズル１４、１４ａ〜１４ｌの変形例として、挿入管１６の開口部にロック機構を設けることにより、アーム部からの挿入管１６の抜け止め機構を付与したノズル１５及びその変形例について説明する。
【００６４】
上記したように、ノズル１４等では、アーム部３２の内部に挿入管１６を設置した状態で液剤Ｌを吐出する構成であることから、アーム部３２により囲繞される領域内に挿入管１６を設置した後は、液剤Ｌの塗布が完了するまでの間、挿入管１６が開口部３８から誤って抜け出さないことが望ましい。以下、挿入管１６の抜け止め機能を果たすロック機構を備えたノズルの構成例を順に説明する。
【００６５】
図１４Ａは、ロック機構を有するノズル１５のロック状態での平面図であり、図１４Ｂは、図１４Ａに示すノズル１５のアンロック状態での平面図である。
【００６６】
図１４Ａ及び図１４Ｂに示すように、ノズル１５は、図２に示すノズル１４のアーム部３２に代えて、開口部３８を開閉可能なロック機構７０を有するアーム部７４を備える。ロック機構７０は、開口部３８を構成する一方の端面から進退可能な湾曲棒状のスライドバー７２を有し、該スライドバー７２は、アーム部７４の一端側で周方向に沿って形成された内腔内に挿入・配置されている。スライドバー７２の基端には、把持突起７５が突設され、該把持突起７５がアーム部７４の上面に開口形成されたスライド孔７６から突出している。アーム部７４の内腔内でスライドバー７２の基端には、該スライドバー７２を前進方向、つまり開口部３８を閉じる方向（図１５Ａ参照）に付勢するばね７８が配設されている。
【００６７】
従って、ノズル１５では、通常時、ばね７８の付勢力により、スライドバー７２が前進して他方の開口部３８を構成する端面に当接又は近接して該開口部３８を閉塞した状態にあり、つまりロック機構７０がロック状態にある（図１５Ａ参照）。一方、アーム部７４により囲繞される領域内に挿入管１６を挿脱する際には、把持突起７５をスライド孔７６に沿って後退させる。これにより、スライドバー７２がばね７８の付勢力に抗して後退するため、開口部３８が開成され、ロック機構７０をアンロックすることができる（図１５Ｂ参照）。勿論、このようなロック機構を有するアーム部は、上記各構成に係るノズル１４ａ〜１４ｌに適用してもよく、以下の各変形例に係るノズル１５ａ〜１５ｇについても同様である。
【００６８】
図１５Ａは、ロック機構を有するノズル１５の第１変形例に係るノズル１５ａのロック状態での平面図であり、図１５Ｂは、図１５Ａに示すノズル１５ａのアンロック状態での平面図である。
【００６９】
図１５Ａ及び図１５Ｂに示すように、ノズル１５ａは、図２に示すノズル１４のアーム部３２に代えて、開口部３８を開閉可能なロック機構７０ａを有するアーム部７４ａを備える。ロック機構７０ａは、開口部３８を構成するアーム部７４ａの一方の端面に固着され、該端面から伸縮可能な伸縮部材８０を有する。伸縮部材８０は、例えば蛇腹状の伸縮チューブで形成されることにより、図１６Ａに示す伸張した状態で開口部３８を閉塞してロック状態となり、図１６Ｂに示す収縮した状態で開口部３８を開成してアンロック状態となる。
【００７０】
図１６Ａは、ロック機構を有するノズル１５の第２変形例に係るノズル１５ｂのロック状態での平面図であり、図１６Ｂは、図１６Ａに示すノズル１５ｂのアンロック状態での平面図である。
【００７１】
図１６Ａ及び図１６Ｂに示すように、ノズル１５ｂは、図２に示すノズル１４のアーム部３２に代えて、開口部３８を開閉可能なロック機構７０ｂを有するアーム部７４ｂを備える。ロック機構７０ｂは、開口部３８を構成するアーム部７４ｂの一方の端面に固着された円柱状の固定部（ボルト部）８２と、該固定部８２の外周面に形成された雄ねじ８２ａに螺合する雌ねじ８４ａを内腔に設けた可動部（ナット部）８４とを有する。
【００７２】
従って、ロック機構７０ｂでは、可動部８４を固定部８２に対して螺回・前進させ、該可動部８４の先端が他方の開口部３８を構成する端面に当接又は近接した位置にすることで開口部３８を閉塞したロック状態となり（図１６Ａ参照）、可動部８４を固定部８２に対して逆方向に螺回・後退させることにより、開口部３８を開成したアンロック状態となる（図１６Ｂ参照）。
【００７３】
図１７は、ロック機構を有するノズル１５の第３変形例に係るノズル１５ｃの平面図である。
【００７４】
図１７に示すように、ノズル１５ｃは、図２に示すノズル１４のアーム部３２に代えて、開口部３８を開閉可能なロック機構７０ｃを有するアーム部７４ｃを備える。ロック機構７０ｃは、開口部３８を構成するアーム部７４ｃの一方の端部に回転軸８６で軸支された湾曲棒状の揺動部材８８を有する。
【００７５】
従って、ロック機構７０ｃでは、回転軸８６を軸心として揺動部材８８を回動させて図１７中に実線で示す閉じ位置に設定することにより、開口部３８を閉塞したロック状態となり、揺動部材８８を回動させて図１７中に２点鎖線で示す開き位置に設定することにより、開口部３８を開成したアンロック状態となる。なお、ロック機構７０ｃでは、回転軸８６に図示しないトーションばね等を設け、該トーションばねの付勢力により、通常時には揺動部材８８が図１７中に実線で示す閉じ位置に自動的に設定されるように構成してもよい。
【００７６】
図１８Ａは、ロック機構を有するノズル１５の第４変形例に係るノズル１５ｄのロック状態での平面図であり、図１８Ｂは、図１８Ａに示すノズル１５ｄのアンロック状態での平面図である。
【００７７】
図１８Ａ及び図１８Ｂに示すように、ノズル１５ｄは、図２に示すノズル１４のアーム部３２に代えて、開口部３８を開閉可能なロック機構７０ｄを有するアーム部７４ｄを備える。ロック機構７０ｄは、開口部３８を構成するアーム部７４ｄの対向する両端面に、互いに近接する方向に拡張（伸張）可能且つ互いに離間する方向に収縮（折り畳み）可能な一対のバルーン９０、９０を備える。
【００７８】
バルーン９０は、内圧の変化により収縮及び拡張が可能であり、収縮された状態（図１８Ｂ参照）から、ノズル流路３４に連通する拡張流路９２を介して内部に液剤Ｌが圧送されることで筒状（円筒状）に拡張する（図１８Ａ参照）。バルーン９０は、例えば、一般的なバルーンカテーテルに使用されるバルーンと同様な材質、例えば、ポリエチレン、ポリエチレンエラストマー、ポリアミド、ポリアミドエラストマー、ポリウレタン、ポリウレタンエラストマー、ポリオレフィン、ポリオレフィンエラストマー、ポリエステル、ポリエステルエラストマー等で形成するとよく、好ましくは、ポリアミド、ポリアミドエラストマー、ポリエステル、ポリエステルエラストマーで形成するとよい。
【００７９】
上記したように、当該塗布具１０では、例えば、十分な粘度を持った液剤Ｌを塗布するため、シリンジ１２から吐出される液剤Ｌは、バルーン９０を十分に拡張可能な所定の高い圧力（液圧）を持っている。従って、ロック機構７０ｄでは、シリンジ１２（図１参照）から液剤Ｌが供給されていない状態では、各バルーン９０が収縮して開口部３８が開成されたアンロック状態にあり（図１８Ｂ参照）、液剤Ｌがノズル流路３４及び拡張流路９２を介して供給されることにより、各バルーン９０が拡張して開口部３８が閉塞されたロック状態となる（図１８Ａ参照）。つまり、ロック機構７０ｄでは、当該塗布具１０の使用者がロック機構７０ｄを特別に操作しなくても、アーム部７４ｄの内側に挿入管１６を配置してシリンジ１２の押し子２６を押し込むだけで、該シリンジ１２から供給される液剤Ｌの液圧によってバルーン９０が拡張し、自動的にノズル１５ｄをロック状態とすることができる。なお、バルーン９０は、アーム部７４ｄの一方の端面にのみ設置してもよいことも勿論である。
【００８０】
図１９Ａは、ロック機構を有するノズル１５の第５変形例に係るノズル１５ｅのロック状態での平面図であり、図１９Ｂは、図１９Ａに示すノズル１５ｅのアンロック状態での平面図である。
【００８１】
図１９Ａ及び図１９Ｂに示すように、ノズル１５ｅは、図２に示すノズル１４のアーム部３２に代えて、開口部３８を開閉可能なロック機構７０ｅを有するアーム部７４ｅを備える。ロック機構７０ｅは、開口部３８を構成するアーム部７４ｅの一方の端部近傍に、他方の端部近傍に向かって拡張（延伸）可能且つ離間する方向に収縮（巻き取り）可能な舌状の扁平バルーン９４を備える。扁平バルーン９４は、内圧の変化により収縮及び拡張が可能であり、収縮された状態（図１９Ｂ参照）から、ノズル流路３４に連通する拡張流路９２を介して内部に液剤Ｌが圧送されることで旋回しながら舌型板状に拡張し、伸張する（図１９Ａ参照）。扁平バルーン９４についても、上記したバルーン９０と略同様に、例えば、一般的なバルーンカテーテルに使用されるバルーンと同様な材質、例えば、ポリエチレン、ポリエチレンエラストマー、ポリアミド、ポリアミドエラストマー、ポリウレタン、ポリウレタンエラストマー、ポリオレフィン、ポリオレフィンエラストマー、ポリエステル、ポリエステルエラストマー等で形成するとよく、好ましくは、ポリアミド、ポリアミドエラストマー、ポリエステル、ポリエステルエラストマーで形成するとよい。
【００８２】
従って、ロック機構７０ｅでは、シリンジ１２（図１参照）から液剤Ｌが供給されていない状態では、扁平バルーン９４が収縮・巻回され、開口部３８が開成されたアンロック状態にあり（図１９Ｂ参照）、液剤Ｌがノズル流路３４及び拡張流路９２を介して供給されることにより、扁平バルーン９４が拡張・伸張して開口部３８が閉塞されたロック状態となる（図１９Ａ参照）。つまり、ロック機構７０ｅにおいても、上記のロック機構７０ｄと略同様に、当該塗布具１０の使用者がロック機構７０ｅを特別に操作しなくても、アーム部７４ｅの内側に挿入管１６を配置した状態でシリンジ１２の押し子２６を押し込むだけで、該シリンジ１２から供給される液剤Ｌによって扁平バルーン９４が拡張し、自動的にノズル１５ｅをロック状態とすることができる。なお、扁平バルーン９４は、アーム部７４ｅの対向する両方の端部に設置してもよいことも勿論である。
【００８３】
図２０Ａは、ロック機構を有するノズル１５の第６変形例に係るノズル１５ｆのアンロック状態での平面図であり、図２０Ｂは、図２０Ａに示すノズル１５ｆのロック状態での平面図である。
【００８４】
図２０Ａ及び図２０Ｂに示すように、ノズル１５ｆは、図２に示すノズル１４のアーム部３２に代えて、開口部３８を開閉可能なロック機構７０ｆを有するアーム部７４ｆを備える。アーム部７４ｆは、例えば略半円状のリングとして形成されており、ロック機構７０ｆは、該アーム部７４ｆの開口側に沿って径方向に進退可能なラック部材９６を備える。ラック部材９６は、その内側面にラック歯車９６ａを有し、該ラック歯車９６ａが、ノズル流路３４を開閉する活栓（バルブ）９８に形成されたピニオン歯車９８ａと噛み合いしている。ラック部材９６は、アーム部７４ｆの一端部に形成されたガイド孔１００に挿通されることによりガイドされ、ピニオン歯車９８ａの回転に伴って進退し、開口部３８を開閉することができる。
【００８５】
従って、ロック機構７０ｆでは、図２０Ａに示すように、活栓９８を閉じ位置にしてノズル流路３４を閉じた状態では、ラック部材９６が後退位置に設定されて開口部３８が開成されたアンロック状態にある。一方、活栓９８を開き位置にしてノズル流路３４を開く際には、該活栓９８の開き動作と連動してピニオン歯車９８ａが回転し、これに連動してラック部材９６が前進駆動される。そして、図２０Ｂに示すように、活栓９８が全開位置になると、ラック部材９６も所定の前進位置となり、開口部３８が閉塞されたロック状態となる。つまり、ロック機構７０ｆでは、シリンジ１２から液剤Ｌを供給する際に、活栓９８を開き操作（ノズル流路３４の開放）に連動して、ラック部材９６が前進駆動され、これにより開口部３８が自動的に閉塞され、ロック状態となる。
【００８６】
図２１Ａは、ロック機構を有するノズル１５の第７変形例に係るノズル１５ｇのロック状態での平面図であり、図２１Ｂは、図２１Ａに示すノズル１５ｇのアンロック状態での平面図であり、図２１Ｃは、図２１Ａに示すロック状態での斜視図である。
【００８７】
図２１Ａ〜図２１Ｃに示すように、ノズル１５ｇは、図２に示すノズル１４のアーム部３２に代えて、互いに開閉することで開口部３８を開閉可能なロック機構７０ｇを有する一対のアーム部７４ｇ、７４ｈを備える。各アーム部７４ｇ、７４ｈは、それぞれ略半円状のリングとして構成されており、一方のアーム部７４ｇはベース部３０に固定され、他方のアーム部７４ｈは回転軸１０２により、アーム部７４ｇに対して回動可能である。回転軸１０２は、各アーム部７４ｇの各ノズル流路３４にそれぞれ分岐する分岐流路を有する。そして、図２１Ａ及び図２１Ｃに示すように、各アーム部７４ｇ、７４ｈが閉じ位置に設定されると、その先端部同士が重なる位置にあり、これにより開口部３８を確実に閉塞することができる。
【００８８】
従って、ロック機構７０ｇでは、回転軸１０２を軸心としてアーム部７４ｈを回動させて図２１Ａ及び図２１Ｃに示す閉じ位置に設定することにより、開口部３８が閉塞されたロック状態となり、アーム部７４ｈを回動させて図２１Ｂに示す開き位置に設定することにより、開口部３８が開成されたアンロック状態となる。なお、ロック機構７０ｇでは、回転軸１０２に図示しないトーションばね等を設け、該トーションばねの付勢力により、通常時にはアーム部７４ｈが図２１Ａ及び図２１Ｃに示す閉じ位置に自動的に設定されるように構成してもよい。
【００８９】
次に、上記のように構成される塗布具１０の他の構成例について説明する。
【００９０】
図２２は、図１に示す液剤塗布具１０の別の構成例に係る液剤塗布具１０ａの斜視図である。
【００９１】
上記のノズル１４（１４ａ〜１４ｌ）、１５（１５ａ〜１５ｇ）を備える液剤塗布具１０では、ノズル１４等をシリンジ１２に対して着脱可能に構成していたが、図２２に示すように、シリンジ１２ａの先端に、例えばノズル１４と略構造からなるノズル１４ｍを一体的に設けた液剤塗布具１０ａとして構成することもできる。これにより、塗布具１０ａでは、ノズル１４ｍをシリンジ１２ａに装着する工程が不要となり、取り扱いが一層容易となる。さらに、ノズル１４ｍをシリンジ１２ａに一体化したことにより、当該塗布具１０ａの製造コストを低減することができる。なお、図２２では、ノズル１４ｍとしてノズル１４と略同様な構成を例示しているが、当該塗布具１０ａには、他のノズル１４ａ〜１４ｌ、１５、１５ａ〜１５ｇと略同様な構成からなるものを用いても勿論よく、次の塗布具１０ｂについても同様である。
【００９２】
図２３Ａは、図１に示す液剤塗布具１０のさらに別の構成例に係る液剤塗布具１０ｂの平面図であり、図２３Ｂは、図２３Ａに示す液剤塗布具１０ｂの側面図である。
【００９３】
図２３Ａ及び図２３Ｂに示すように、液剤塗布具１０ｂは、図２２に示す塗布具１０ａのシリンジ１２ａに代えて、貯液部６２ａを有する小型扁平な本体部６２を有し、該本体部６２の先端に貯液部６２ａから連通するノズル流路３４を設けたノズル１４ｎが一体的に備えられている。本体部６２の略中央部には、その上下面に扁平半球状に膨出形成された膨出部６２ｂが設けられ、この膨出部６２ｂの内側が貯液部６２ａとなっている。本体部６２は、少なくとも貯液部６２ａを構成する膨出部６２ｂが可撓性を有する樹脂製材料等によって形成される。
【００９４】
従って、当該塗布具１０ｂでは、使用者が本体部６２を片手で把持した状態で、例えば親指と人差指とで図２３Ｂ中の矢印Ｐに示すように、膨出部６２ｂ（貯液部６２ａ）を押し潰す方向に押圧することにより、ノズル１４ｎの吐出孔３６から液剤Ｌを吐出することができる。このように、塗布具１０ｂではシリンジが不要となることから、全体として一層コンパクト且つ低コストな構造とすることができ、取り扱い性をより一層向上させることができる。
【００９５】
本発明は、上記の実施形態に限らず、本発明の要旨を逸脱することなく、種々の構成乃至工程を採り得ることは勿論である。
【００９６】
例えば、液剤塗布具１０によって吐出・塗布する液剤Ｌとしては、上記したシアノアクリレートを含有するシーラントや、クロルヘキシジン等の抗菌剤を含有し且つ十分な粘度を有した液剤以外であっても勿論よく、要は挿入部２０周辺に塗布されることで固化し又は適度な粘度によって隙間Ｇを被覆し塞ぐことができるものであればよく、例えば、ポリエチレングリコールを主としたゲルや多糖ゲル等を用いてもよい。なお、当該塗布具によって塗布される液剤とは、塗布される状態で液体のものをいい、塗布された後、シーラントのように固化するものも当然に含むものとする。
【符号の説明】
【００９７】
１０、１０ａ、１０ｂ…液剤塗布具        １２、１２ａ…シリンジ
１４、１４ａ〜１４ｎ、１５、１５ａ〜１５ｇ…ノズル
１６…挿入管                            １８…生体組織
２０…挿入部
３２、４０、４２、７４、７４ａ〜７４ｈ…アーム部
３６、３６ａ、４８、５０…吐出孔        ３８、４４、４６…開口部
４７、４９…脚部                        ７０、７０ａ〜７０ｇ…ロック機構
【図１】
2012065980.tif 000003
【図２】
2012065980.tif 000004
【図３】
2012065980.tif 000005
【図４】
2012065980.tif 000006
【図５】
2012065980.tif 000007
【図６】
2012065980.tif 000008
【図７】
2012065980.tif 000009
【図８】
2012065980.tif 000010
【図９】
2012065980.tif 000011
【図１０】
2012065980.tif 000012
【図１１】
2012065980.tif 000013
【図１２】
2012065980.tif 000014
【図１３】
2012065980.tif 000015
【図１４】
2012065980.tif 000016
【図１５】
2012065980.tif 000017
【図１６】
2012065980.tif 000018
【図１７】
2012065980.tif 000019
【図１８】
2012065980.tif 000020
【図１９】
2012065980.tif 000021
【図２０】
2012065980.tif 000022
【図２１】
2012065980.tif 000023
【図２２】
2012065980.tif 000024
【図２３】
2012065980.tif 000025